(57)【要約】  本発明は、セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造に関し、より詳しくは、スライディング窓戸を構成する固定窓の３辺（上部面、下部面、中間バー側ではない外側の一側面）を支持するウィンドウフレーム部分とペアガラスで提供される窓ガラスパネルとの間に取り付けられて通気を防止する密封機能と高い風圧に対する窓ガラスパネルの安定的な固定機能（耐風圧性）を提供するとともに、断熱性能を最大限に確保可能にするガラス固定ガスケット及び窓ガラスパネル固定ブラケットの取り付け構造に関する。
2021525844.tif 000002
【特許請求の範囲】
【請求項１】
セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造において、
固定窓の３辺（上部面、下部面、外側の一側面）を支持するウィンドウフレーム部分１１１０、１３１０、１５００、１１２０、１２２０とペアガラスで提供される窓ガラスパネル１００との間に設けられるものであって、
窓ガラスの外側及び中央部のウィンドウフレーム１１１０の内部に挿設される外側セグメント断熱支持台１３２０ａ、及び窓ガラス内側部のウィンドウフレーム１３１０、１５００の内部に挿設される内側セグメント断熱支持台１３２０ｂと、
前記外側セグメント断熱支持台１３２０ａと前記内側セグメント断熱支持台１３２０ｂとの間の空間に挿設される発泡プラスチック系素材の断熱性ガラス受台１３３０（１３３０−ｕ、１３３０−ｄ、１３３０−ｓ）と、
前記断熱性ガラス受台１３３０の外側部に形成された第１嵌め溝１３３０ａに結合される発泡ゴム素材の外側ガラス固定ガスケット１１２０ｇｅと、
窓ガラスパネルの内側面を支持して風圧の静圧に対応するように楔方式で設けられ、前記断熱性ガラス受台１３３０の内側部に形成された第２嵌め溝１３３０ｂに結合される嵌め込み突起１３３０ｋａを備えた発泡プラスチック系素材の窓ガラスパネル固定ブラケット１３３０ｋと、
前記窓ガラスパネル固定ブラケット１３３０ｋに形成された嵌め溝１３３０ｋｂに結合される発泡ゴム素材の内側ガラス固定ガスケット１２２０ｇｅと、を含んでなり、
前記断熱性ガラス受台１３３０の内側部１３３０ｅの形状は、以後結合される内側セグメント断熱支持台１３２０ｂの回転嵌め固定段１３２０ｂ−２が前記窓ガラスの外側及び中央部のウィンドウフレーム１１１０の内側係止顎１１１１に所定の角度で回転しながら嵌合されるとき、内側セグメント断熱支持台１３２０ｂの中央支持面１３２０ｂ−２と干渉しないように、断面が縮小した形状を有することを特徴とする、セグメント型ウィンドウフレームを含むスライディング窓戸システムを構成する固定窓のガラス固定ガスケット及び窓ガラスパネル固定ブラケットの取り付け構造。
【請求項２】
前記外側セグメント断熱支持台１３２０ａ及び前記内側セグメント断熱支持台１３２０ｂが、発泡プラスチック系素材から構成されることを特徴とする、請求項１に記載のセグメント型ウィンドウフレームを含むスライディング窓戸システムを構成する固定窓のガラス固定ガスケット及び窓ガラスパネル固定ブラケットの取り付け構造。
【請求項３】
前記断熱性ガラス受台１３３０が、窓ガラスパネル１００の上部面、下部面及び一側面で窓ガラスパネル１００と連続的に接するように設けられる部材であることを特徴とする、請求項１または２に記載のセグメント型ウィンドウフレームを含むスライディング窓戸システムを構成する固定窓のガラス固定ガスケット及び窓ガラスパネル固定ブラケットの取り付け構造。
【請求項４】
前記断熱性ガラス受台１３３０と窓ガラスパネル１００との間には、ガラス高さ調整受台１３３０ｓが介在されるように設けられることを特徴とする、請求項３に記載のセグメント型ウィンドウフレームを含むスライディング窓戸システムを構成する固定窓のガラス固定ガスケット及び窓ガラスパネル固定ブラケットの取り付け構造。
【発明の詳細な説明】
【技術分野】
【０００１】
本発明は、セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造に関し、より詳しくは、スライディング窓戸を構成する固定窓の３辺（上部面、下部面、中間バー側ではない外側の一側面）を支持するウィンドウフレーム部分とペアガラスで提供される窓ガラスパネルとの間に取り付けられて通気を防止する密封機能と高い風圧に対する窓ガラスパネルの安定的な固定機能（耐風圧性）を提供するとともに、断熱性能を最大限に確保可能にするガラス固定ガスケット及び窓ガラスパネル固定ブラケットの取り付け構造に関する。
【背景技術】
【０００２】
一般に、スライディング窓戸システムを構成する固定窓は、窓ガラスパネル１００をアルミニウム（Ａｌ）素材のウィンドウフレーム内に固定して構成するが、図１ａに示されたように、固定窓の下部を支持する窓枠フレームは外側フレーム１１１、１１３と内側フレーム１２１とに分割構成され、その間を断熱材からなる断熱連結具１３１で連結して形成する。断熱連結具１３１の上部には発泡プラスチック素材からなるセグメント型のガラス支持具１３２を挿設し、外側フレーム１１１、１１３から延設された外側ガスケット取付ブラケット１１２及び内側フレーム１２１から延設された内側ガスケット取付ブラケット１２２を設ける。発泡プラスチック素材からなるセグメント型のガラス支持具１３２上に載置された窓ガラスパネル１００（ペアガラス）の外側面と内側面に接触して支持するように、前記外側ガスケット取付ブラケット１１２にはＥＰＤＭ（ｅｔｈｙｌｅｎｅ ｐｒｏｐｙｌｅｎｅ ｄｉｅｎｅ ｍｏｎｏｍｅｒ）合成ゴム素材の外側ガラス固定ガスケット１１２ｇを嵌め込んで固定しながら、前記内側ガスケット取付ブラケット１２２にもＥＰＤＭ合成ゴム素材の内側ガラス固定ガスケット１２２ｇを嵌め込んで固定する。図１ａに示されたフレーム２１０、２２０、２３０は、内側に設けられるスライディング窓の移動経路を提供しながらそれを支持する部分であり、断熱連結具３１０は外側の固定窓を支持するためのウィンドウフレームと内側のスライディング窓を支持するためのウィンドウフレームとの間の断熱及び構造的な連結のために提供されるものである。
【０００３】
しかし、このような固定窓の取り付け構造において、ＥＰＤＭ合成ゴム素材の外側ガラス固定ガスケット１１２ｇと内側ガラス固定ガスケット１２２ｇは、二つの機能、すなわち通気を遮断する気密力、及び窓ガラスパネルの構造的な固定力（耐風圧性）を十分提供できるものの、ＥＰＤＭ合成ゴムで発生する熱損失が大きいため、窓戸システムの断熱性能及びエネルギー効率の面で限界がある。
【０００４】
すなわち、ＥＰＤＭ合成ゴムを使用したこのような従来技術による固定窓に対し、数値解析モデル（外気温度−１８℃、室内温度２１℃：温度差ΔＴ＝３９℃）を構成して窓戸システム構成部の温度をシミュレーションした数値解析試験の結果によれば、図１ｂに示されたようにウィンドウフレームの内側の基準点で１０．９℃に温度が低下して低いエネルギー効率（高い熱伝導特性：熱貫流率Ｕ−Ｆａｃｔｏｒが０．４３５０Ｗ／ｍ２Ｋ）を示し、さらには結露が発生するという問題が確認される。
【０００５】
そこで、本発明者は、このような問題に対する一つの１次的な解決策として、外側ガラス固定ガスケット１１２ｇと内側ガラス固定ガスケット１２２ｇを、図２ａに示されたように、発泡ゴム（ｅｘｐａｎｄｅｄ ｒｕｂｂｅｒ）素材の外側ガラス固定ガスケット１１２ｇｅと内側ガラス固定ガスケット１２２ｇｅに代替する比較例１に着目した。これに対し、上述した条件と同様に温度シミュレーション数値解析試験を行った結果、図２ｂに示されたように、ウィンドウフレームの内側の基準点で１５．３℃と高い温度が維持されながら高いエネルギー効率（低い熱伝導特性：熱貫流率Ｕ−Ｆａｃｔｏｒが０．３１７７Ｗ／ｍ２Ｋ）を示し、結露も防止される効果が期待できることが確認された。
【０００６】
しかし、比較例１のように、従来技術による取り付け構造をそのまま適用しながら単に素材のみを変更して、発泡ゴム素材の外側ガラス固定ガスケット１１２ｇｅと内側ガラス固定ガスケット１２２ｇｅを使用する場合、熱損失を防止しながら通気を遮断する気密力は提供できるものの、図３に示されたように高い風圧が加えられると、発泡ゴム素材の大きい弾性変形特性のため、窓ガラスパネルが過度に内側へと抑えられ、窓ガラスパネルの構造的に安定的な固定力（耐風圧性）を十分提供できないという問題が発生する。
【発明の概要】
【発明が解決しようとする課題】
【０００７】
本発明は、セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造において、ウィンドウフレーム部分とペアガラスで提供される窓ガラスパネルとの間に取り付けられて通気を防止する密封機能と高い風圧に対する窓ガラスパネルの安定的な固定機能（耐風圧性）を提供するとともに、断熱性能を最大限に確保可能にするガラス固定ガスケット及び窓ガラスパネル固定ブラケットの取り付け構造を提供することを目的とする。
【課題を解決するための手段】
【０００８】
本発明は、上記の目的を達成するための手段として、セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造において、固定窓の３辺（上部面、下部面、中間バー側ではない外側の一側面）を支持するウィンドウフレーム部分とペアガラスで提供される窓ガラスパネルとの間に設けられるものであって、窓ガラスの外側及び中央部のウィンドウフレームの内部に挿設される外側セグメント断熱支持台、及び窓ガラス内側部のウィンドウフレームの内部に挿設される内側セグメント断熱支持台と、前記外側セグメント断熱支持台と前記内側セグメント断熱支持台との間の空間に挿設される発泡プラスチック（ｅｘｐａｎｄｅｄ ｐｌａｓｔｉｃ）系素材の断熱性ガラス受台と、前記断熱性ガラス受台の外側部に形成された第１嵌め溝に結合される発泡ゴム（ｅｘｐａｎｄｅｄ ｒｕｂｂｅｒ）素材の外側ガラス固定ガスケットと、窓ガラスパネルの内側面を支持して風圧の静圧に対応するように楔方式で設けられ、前記断熱性ガラス受台の内側部に形成された第２嵌め溝に結合される嵌め込み突起を備えた発泡プラスチック系素材の窓ガラスパネル固定ブラケットと、前記窓ガラスパネル固定ブラケットに形成された嵌め溝に結合される発泡ゴム素材の内側ガラス固定ガスケットと、を含んでなり、前記断熱性ガラス受台の内側部の形状は、以後結合される内側セグメント断熱支持台の回転嵌め固定段が前記窓ガラスの外側及び中央部のウィンドウフレーム１１１０の内側係止顎１１１１に所定の角度で回転しながら嵌合されるとき、内側セグメント断熱支持台の中央支持面と干渉しないように、断面が縮小した形状を有することを特徴とする、セグメント型ウィンドウフレームを含むスライディング窓戸システムを構成する固定窓のガラス固定ガスケット及び窓ガラスパネル固定ブラケットの取り付け構造を提供する。
【０００９】
ここで、前記断熱性ガラス受台は、窓ガラスパネルをエッジの一部のみで支持するように設けられるものではなく、窓ガラスパネルの上部面、下部面及び一側面で窓ガラスパネルと連続的に接するように設けられる部材であり、場合によって、１辺に複数のセグメント化された受台が連続して設けられ得る。
【００１０】
そして、前記断熱性ガラス受台と窓ガラスパネルとの間には、ガラス高さ調整受台が介在されて設けられることがさらに望ましい。
【発明の効果】
【００１１】
本発明によれば、窓ガラスパネルの内側面を支持して風圧の静圧に対応するように楔方式で設けられ、断熱性ガラス受台の内側部に形成された第２嵌め溝に結合される嵌め込み突起を備えた発泡プラスチック系素材の窓ガラスパネル固定ブラケットを備えることで、窓ガラスパネルの構造的に安定的な固定機能（耐風圧性）を達成することができる。また、前記断熱性ガラス受台の外側部に形成された第１嵌め溝に結合される発泡ゴム素材の外側ガラス固定ガスケット、及び前記窓ガラスパネル固定ブラケットに形成された嵌め溝に結合される発泡ゴム素材の内側ガラス固定ガスケットによって、通気防止のための密封機能及び熱損失防止のための断熱機能を提供可能にすることで、密封及び断熱機能を主な機能として提供する部材と窓ガラスパネルの構造的に安定的な固定機能（耐風圧性）を主な機能として提供する部材とを構造的に分離する効果を提供する。
【図面の簡単な説明】
【００１２】
【図１ａ】一般的なスライディング窓戸システムを構成する固定窓において、窓ガラスパネルをアルミニウム素材のウィンドウフレーム内に固設する際、窓ガラスパネルの外側面と内側面に接触して支持するように、外側ガスケット取付ブラケット１１２と内側ガスケット取付ブラケットにＥＰＤＭ合成ゴム素材の外側ガラス固定ガスケットと内側ガラス固定ガスケットを取り付けた構造を示した図である。
【図１ｂ】図１ａに示された構造に対し、窓戸システム構成部の温度をシミュレーションした数値解析試験の結果である。
【図２ａ】図１ａのＥＰＤＭ合成ゴム素材の外側ガラス固定ガスケット１１２ｇと内側ガラス固定ガスケット１２２ｇを発泡ゴム素材の外側ガラス固定ガスケット１１２ｇｅと内側ガラス固定ガスケット１２２ｇｅに代替した比較例１を示した図である。
【図２ｂ】比較例１に対する数値解析試験の結果である。
【図３】比較例１の構造的な問題点を示した図である。
【図４】本発明によるセグメント型ウィンドウフレームを含むスライディング窓戸システムを構成する固定窓のガラス固定ガスケット及び窓ガラスパネル固定ブラケットの取り付け構造の一実施形態を示した平面図である。
【図５ａ】図４のＡ−Ａ’に沿った断面図である。
【図５ｂ】図４のＢ−Ｂ’に沿った断面図である。
【図６ａ】本発明による窓ガラスパネル固定ブラケット及びガラス固定ガスケットなどが取り付けられる状態を段階的に示した図である。
【図６ｂ】本発明による窓ガラスパネル固定ブラケット及びガラス固定ガスケットなどが取り付けられる状態を段階的に示した図である。
【図６ｃ】本発明による窓ガラスパネル固定ブラケット及びガラス固定ガスケットなどが取り付けられる状態を段階的に示した図である。
【図６ｄ】本発明による窓ガラスパネル固定ブラケット及びガラス固定ガスケットなどが取り付けられる状態を段階的に示した図である。
【図６ｅ】本発明による窓ガラスパネル固定ブラケット及びガラス固定ガスケットなどが取り付けられる状態を段階的に示した図である。
【図６ｆ】本発明による窓ガラスパネル固定ブラケット及びガラス固定ガスケットなどが取り付けられる状態を段階的に示した図である。
【図７ａ】本発明によるセグメント型ウィンドウフレームを含むスライディング窓戸システムを構成する固定窓のガラス固定ガスケット及び窓ガラスパネル固定ブラケットの取り付け構造の一実施形態に対する数値解析試験の結果である。
【図７ｂ】本発明によるセグメント型ウィンドウフレームを含むスライディング窓戸システムを構成する固定窓のガラス固定ガスケット及び窓ガラスパネル固定ブラケットの取り付け構造において、発泡ゴム素材のガラス固定ガスケットの材料をＥＰＤＭ合成ゴム素材に変更した比較例２に対する数値解析試験の結果である。
【発明を実施するための形態】
【００１３】
以下、添付した図面を参照して本発明の望ましい実施形態について、本発明が属する技術分野で通常の知識を持つ者が容易に実施できるように詳しく説明する。ただし、本発明は様々な相異なる形態で具現でき、ここで説明される実施形態によって限定されないことを理解せねばならない。
【００１４】
図４及び図５ａ〜図６ｆに示された本発明の望ましい一実施形態によれば、セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造に関し、より詳しくは、スライディング窓戸を構成する固定窓の３辺（上部面、下部面、中間バー側ではない外側の一側面）を支持するウィンドウフレーム部分１１１０、１３１０、１５００、１１２０、１２２０とペアガラスで提供される窓ガラスパネル１００との間に取り付けられて通気を防止する密封機能と高い風圧に対する窓ガラスパネル１００の安定的な固定機能（耐風圧性）を提供するだけでなく、断熱性能を最大限に確保可能にする新たに改良されたガラス固定ガスケット及び窓ガラスパネル固定ブラケットの取り付け構造が提供される。
【００１５】
このように改良された新たな取り付け構造は、特別な形状を有する発泡プラスチック系素材の断熱性ガラス受台１３３０と発泡プラスチック系素材の窓ガラスパネル固定ブラケット１３３０ｋ、及び従来のＥＰＤＭ素材の外側ガラス固定ガスケットと内側ガラス固定ガスケットを発泡ゴム素材に変更した構成を含んでなる。
【００１６】
すなわち、本発明による弾性ガスケットの取り付け構造は、図４、図５ａ及び図５ｂに示されたように、セグメント型ウィンドウフレームを含むスライディング窓戸システムを構成する固定窓の窓ガラスパネルをウィンドウフレームに固定するガラス固定ガスケット及び窓ガラスパネル固定ブラケットの取り付け構造において、固定窓の３辺（上部面、下部面、中間バー側ではない外側の一側面）を支持するウィンドウフレーム部分１１１０、１３１０、１５００、１１２０、１２２０とペアガラスで提供される窓ガラスパネル１００との間に設けられるものであって、窓ガラスの外側及び中央部のウィンドウフレーム１１１０の内部に挿設される外側セグメント断熱支持台１３２０ａ、及び窓ガラス内側部のウィンドウフレーム１３１０、１５００の内部に挿設される内側セグメント断熱支持台１３２０ｂと、前記外側セグメント断熱支持台１３２０ａと前記内側セグメント断熱支持台１３２０ｂとの間の空間に挿設される発泡プラスチック系素材の断熱性ガラス受台１３３０（１３３０−ｕ、１３３０−ｄ、１３３０−ｓ）と、前記断熱性ガラス受台１３３０の外側部に形成された第１嵌め溝１３３０ａに結合される発泡ゴム素材の外側ガラス固定ガスケット１１２０ｇｅと、窓ガラスパネルの内側面を支持して風圧の静圧に対応するように楔方式で設けられ、前記断熱性ガラス受台１３３０の内側部に形成された第２嵌め溝１３３０ｂに結合される嵌め込み突起１３３０ｋａ（図６ｅ参照）を備えた発泡プラスチック系素材の窓ガラスパネル固定ブラケット１３３０ｋと、前記窓ガラスパネル固定ブラケット１３３０ｋに形成された嵌め溝１３３０ｋｂに結合される発泡ゴム素材の内側ガラス固定ガスケット１２２０ｇｅと、を含んでなり、前記断熱性ガラス受台１３３０の内側部の形状は、以後結合される内側セグメント断熱支持台１３２０ｂの回転嵌め固定段１３２０ｂ−１が前記窓ガラスの外側及び中央部のウィンドウフレーム１１１０の内側係止顎１１１１に所定の角度で回転しながら嵌合されるとき、内側セグメント断熱支持台１３２０ｂの中央支持面１３２０ｂ−２と干渉しないように、断面が縮小した形状を有することを特徴とする、セグメント型ウィンドウフレームを含むスライディング窓戸システムを構成する固定窓のガラス固定ガスケット及び窓ガラスパネル固定ブラケットの取り付け構造を提供する。
【００１７】
ここで、前記外側セグメント断熱支持台１３２０ａ及び前記内側セグメント断熱支持台１３２０ｂも、発泡プラスチック系素材からなり得る。
【００１８】
前記断熱性ガラス受台１３３０は、窓ガラスパネル１００をエッジの一部のみで支持するように設けられるものではなく、窓ガラスパネル１００の上部面、下部面及び一側面で窓ガラスパネル１００と連続的に接するように設けられる部材であり、場合によって、１辺に複数のセグメント化された受台が連続して設けられ得る。
【００１９】
そして、前記断熱性ガラス受台１３３０と窓ガラスパネル１００との間には、ガラス高さ調整受台１３３０ｓが介在されて設けられることがさらに望ましい。
【００２０】
このような取り付け構造を形成する構成品が図６ａ〜図６ｆに示されたような段階を経て、スライディング窓戸システムの固定窓の取り付けが完成される。以下、図６ａ〜図６ｆを参照して段階Ａ〜Ｆを順次に説明する。
【００２１】
まず、図６ａに示された段階Ａ（ＳＴＥＰ Ａ）に示されたように、窓ガラスの外側及び中央部のウィンドウフレーム１１１０の内部に外側セグメント断熱支持台１３２０ａが挿設される。その後、図６ｂに示された段階Ｂ（ＳＴＥＰＢ）に示されたように、前記外側セグメント断熱支持台１３２０ａに隣接して、中央部に発泡プラスチック系素材の断熱性ガラス受台１３３０（１３３０−ｕ、１３３０−ｄ、１３３０−ｓ）が取り付けクリップ１３３０ｃを用いて嵌設され、その上部面に、窓ガラスパネル１００が載置される前に高低差を補正するため、適切に選択された高さのガラス高さ調整受台１３３０ｓが設けられる。また、前記断熱性ガラス受台１３３０の外側部に形成された第１嵌め溝１３３０ａに発泡ゴム素材の外側ガラス固定ガスケット１１２０ｇｅが結合される。ここで、発泡構造は、断熱性の向上に多大に寄与する。
【００２２】
次いで、図６ｃに示された段階Ｃ（ＳＴＥＰ Ｃ）に示されたように、窓ガラスパネル１００が載置され、図６ｄに示された段階Ｄ（ＳＴＥＰ Ｄ）に示されたように、窓ガラス内側部のウィンドウフレーム１３１０、１５００の内部に内側セグメント断熱支持台１３２０ｂが挿設される。このとき、前記断熱性ガラス受台１３３０の内側部１３３０ｅの形状は、以後結合される内側セグメント断熱支持台１３２０ｂの回転嵌め固定段１３２０ｂ−１が前記窓ガラスの外側及び中央部のウィンドウフレーム１１１０の内側係止顎１１１１に所定の角度で回転しながら嵌合されるとき、内側セグメント断熱支持台１３２０ｂの中央支持面１３２０ｂ−２と干渉しないように、断面が縮小した形状を有するように形成される。
【００２３】
そして、図６ｅに示された段階Ｅ（ＳＴＥＰ Ｅ）に示されたように、前記断熱性ガラス受台１３３０の内側部に形成された第２嵌め溝１３３０ｂに結合される嵌め込み突起１３３０ｋａを備えた発泡プラスチック系素材の窓ガラスパネル固定ブラケット１３３０ｋが、窓ガラスパネルの内側面を支持して風圧の静圧に対応するように楔方式で取り付けられる。
【００２４】
最後に、前記窓ガラスパネル固定ブラケット１３３０ｋに形成された嵌め溝１３３０ｋｂに発泡ゴム素材の内側ガラス固定ガスケット１２２０ｇｅが結合され、固定窓の窓ガラスパネル１００の内側面を固定支持する。これによって、固定窓を取り付けるための主要構成品の組み立て作業が完了する。
【００２５】
一方、発泡ゴム素材の外側ガラス固定ガスケット１１２０ｇｅと内側ガラス固定ガスケット１２２０ｇｅは、それぞれ断熱性ガラス受台１３３０の外側部に形成された第１嵌め溝１３３０ａと前記窓ガラスパネル固定ブラケット１３３０ｋに形成された嵌め溝１３３０ｋｂに結合されるが、より安定的な固定結合のため、図示されたように、外側セグメント断熱支持台１３２０ａの上部に提供されるアルミニウム素材の外側上部キャップ１１２０と、内側セグメント断熱支持台１３２０ｂの上部に提供されるアルミニウム素材の内側上部キャップ１２２０の対応面にそれぞれ提供される結合溝１１２０ａ、１２２０ａにも一緒に結合固定できる。
【００２６】
また、本発明における発泡プラスチック系素材は、プラスチック樹脂を発泡剤で発泡させた断熱材であって、発泡ゴム（ｅｘｐａｎｄｅｄ ｒｕｂｂｅｒ、ｆｏａｍ ｒｕｂｂｅｒ）と比べて断熱性は低いものの、単一体として形状を維持できるため、耐候性が求められる建築素材として有用である。代表的には、押出発泡ポリスチレン、軽質ウレタンフォーム、ポリエチレンフォーム、発泡ＰＶＣ、発泡ポリウレタンなどが挙げられ、平均温度２０℃で略０．０２０〜０．１ｋｃａｌ／ｍｈ℃範囲の熱伝導率を有するものを使用することができる。
【００２７】
このように構成した本発明の望ましい実施形態に対し、数値解析モデル（外気温度−１８℃、室内温度２１℃：温度差ΔＴ＝３９℃）を構成して窓戸システム構成部の温度をシミュレーションした数値解析試験の結果によれば、図７ａに示されたように、ウィンドウフレームの内側の基準点で１５．２℃の高い温度を維持して高いエネルギー効率を示し、さらに結露が防止される効果が確認できた。一方、他の構成の比較例２（構成品の形状及び配置構造は同一であるが、発泡ゴムではなくＥＰＤＭを使用した比較形態）では、図７ｂに示されたように、ウィンドウフレームの内側基準点の温度が１０．４℃と低くなり、本発明の実施形態と比べて４．８℃の温度低下が生じることが分かった。
【００２８】
以上のように、本発明が適用されるスライディング窓戸に対する本発明の望ましい実施形態は、図示されたように、複数のガラスパネルを一定の間隔だけ離隔して重ねて構成し、間隙部の真空を具現するようにシーリング部材で接合して形成されるペアガラスを備えた窓戸に適用することを例示して説明したが、本発明の権利範囲がこれに限定されることはなく、多様な類型のスライディング窓戸（ドアまたは窓）に適用される場合を含み、特許請求の範囲に示された本発明の基本概念を用いた当業者の多くの変形及び改良形態も本発明の権利範囲に属することは言うまでもない。
【図１ａ】
2021525844.tif 000003
【図１ｂ】
2021525844.tif 000004
【図２ａ】
2021525844.tif 000005
【図２ｂ】
2021525844.tif 000006
【図３】
2021525844.tif 000007
【図４】
2021525844.tif 000008
【図５ａ】
2021525844.tif 000009
【図５ｂ】
2021525844.tif 000010
【図６ａ】
2021525844.tif 000011
【図６ｂ】
2021525844.tif 000012
【図６ｃ】
2021525844.tif 000013
【図６ｄ】
2021525844.tif 000014
【図６ｅ】
2021525844.tif 000015
【図６ｆ】
2021525844.tif 000016
【図７ａ】
2021525844.tif 000017
【図７ｂ】
2021525844.tif 000018
【国際調査報告】
2021525844.tif 000019
2021525844.tif 000020
2021525844.tif 000021
2021525844.tif 000022